(57)【要約】【課題】表示する画面のサイズに関わらず、提供者の意図した一定のサイズで映像を表示する。【解決手段】映像再生装置１は、動画表示プレーン１０６の画面サイズを記憶する機器情報記憶部１０２と、動画映像データを取得する動画映像取得部１０１と、動画映像データの表示サイズを取得するトランスポートストリーム解析処理部１０３と、動画映像データの表示サイズと、動画表示プレーン１０６の画面サイズとに基づいて、前記映像データを前記表示サイズで表示するように、動画映像データを拡大または縮小するための拡大・縮小パラメータを算出する拡大・縮小処理算出部１０４と、拡大・縮小パラメータに基づいて、動画映像データを拡大または縮小して動画表示プレーン１０６に表示する動画映像表示処理部１０５とを備える。【選択図】図１
2014110611.tif 000002
【特許請求の範囲】
【請求項１】
表示部の画面サイズを記憶する記憶部と、
映像データを取得する映像取得部と、
前記映像取得部が取得した前記映像データの表示サイズを取得するサイズ取得部と、
前記サイズ取得部が取得した前記映像データの表示サイズと、前記記憶部が記憶する前記表示部の画面サイズとに基づいて、前記映像データを前記表示サイズで表示するように、前記映像データを拡大または縮小するための拡大・縮小パラメータを算出する算出部と、
前記算出部が算出した拡大・縮小パラメータに基づいて、前記映像データを拡大または縮小して前記表示部に表示する表示処理部と、
を備えることを特徴とする映像再生装置。
【請求項２】
前記サイズ取得部は、前記映像取得部が取得した前記映像データから前記表示サイズを読み出す
ことを特徴とする請求項１に記載の映像再生装置。
【請求項３】
前記サイズ取得部は、前記映像取得部が取得した前記映像データから前記表示サイズを取得するためのアドレスを読み出し、読み出したアドレスが示すサーバ装置から前記表示サイズを取得する
ことを特徴とする請求項１に記載の映像再生装置。
【請求項４】
前記算出部は、前記映像データの表示サイズを前記表示部の画面サイズにより除算して前記拡大・縮小パラメータを算出する
ことを特徴とする請求項１から３いずれか１項に記載の映像再生装置。
【請求項５】
映像再生装置が、映像データを取得するステップと、
前記映像再生装置が、前記映像データの表示サイズを取得するステップと、
前記映像再生装置が、前記映像データの表示サイズと、表示部の画面サイズを記憶する記憶部から読み出した前記画面サイズとに基づいて、前記映像データを前記表示サイズで表示するように、前記映像データを拡大または縮小するための拡大・縮小パラメータを算出するステップと、
前記映像再生装置が、前記拡大・縮小パラメータに基づいて、前記映像データを拡大または縮小して前記表示部に表示するステップと、
を有することを特徴とする映像再生方法。
【発明の詳細な説明】
【技術分野】
【０００１】
本発明は、映像再生装置及び映像再生方法に関する。
【背景技術】
【０００２】
現在の映像再生装置では、映像コンテンツを、その全ての内容が提示されるように、表示する画面のサイズに合わせて表示することが多い。そのため、同じ映像コンテンツであっても、その映像内の物体は、大きな画面に表示されるときは大きく、小さな画面に表示されるときは小さく表示される。このため映像内の物体の実際の大きさは、直感的にはわかりにくい。
特許文献１には、立体物の画像を２次元のディスプレイを用いて実物大表示する画像データ表示システムが記載されている。特許文献１に記載の技術では、立体物の物体画像の表示サイズを取得し、取得した表示サイズで物体画像をディスプレイに表示している。
【先行技術文献】
【特許文献】
【０００３】
【特許文献１】特許第４５１０８５３号公報
【発明の概要】
【発明が解決しようとする課題】
【０００４】
ところで、映像には、撮影者がそのサイズにまでこだわりを持って撮影したものがある。しかしながら、特許文献１に記載の技術では、静止画像の立体物を実物大に表示するのみであって、撮影者が撮影した映像のサイズを再現する表示を行うことはできない、という問題がある。すなわち、特許文献１に記載の技術では、映像を提供する提供者の意図したサイズで映像を表示することはできない。
本発明は上記の点に鑑みてなされたものであり、その目的は、表示する画面のサイズに関わらず、提供者の意図した一定のサイズで映像を表示することができる映像再生装置及び映像再生方法を提供することにある。
【課題を解決するための手段】
【０００５】
本発明は、上記の課題を解決するためになされたものであり、表示部の画面サイズを記憶する記憶部と、映像データを取得する映像取得部と、前記映像取得部が取得した前記映像データの表示サイズを取得するサイズ取得部と、前記サイズ取得部が取得した前記映像データの表示サイズと、前記記憶部が記憶する前記表示部の画面サイズとに基づいて、前記映像データを前記表示サイズで表示するように、前記映像データを拡大または縮小するための拡大・縮小パラメータを算出する算出部と、前記算出部が算出した拡大・縮小パラメータに基づいて、前記映像データを拡大または縮小して前記表示部に表示する表示処理部と、を備えることを特徴とする映像再生装置である。
本発明によれば、映像データの表示サイズを取得し、取得した表示サイズで映像データを表示するように映像データを拡大または縮小して表示するため、表示する画面のサイズに関わらず、提供者の意図した一定のサイズで映像を表示することができる。
【０００６】
また、本発明は、前記サイズ取得部は、前記映像取得部が取得した前記映像データから前記表示サイズを読み出すことを特徴とする。
本発明によれば、映像データに表示サイズを付加することができるため、提供者は、提供する映像データ毎に表示サイズを設定することができる。
【０００７】
また、本発明は、前記サイズ取得部は、前記映像取得部が取得した前記映像データから前記表示サイズを取得するためのアドレスを読み出し、読み出したアドレスが示すサーバ装置から前記表示サイズを取得することを特徴とする。
本発明によれば、サーバ装置から映像データの表示サイズを取得するため、例えば、映像データを視聴する時刻に応じて映像データの表示サイズを変更する等、提供者が動的に表示サイズを変更することができる。
【０００８】
また、本発明は、前記算出部は、前記映像データの表示サイズを前記表示部の画面サイズにより除算して前記拡大・縮小パラメータを算出することを特徴とする。
本発明によれば、映像データの表示サイズを画面サイズにより除算して拡大・縮小パラメータを算出しているため、表示する画面のサイズに関わらず、提供者の意図した一定のサイズで映像を表示することができる。
【０００９】
また、本発明は、映像再生装置が、映像データを取得するステップと、前記映像再生装置が、前記映像データの表示サイズを取得するステップと、前記映像再生装置が、前記映像データの表示サイズと、表示部の画面サイズを記憶する記憶部から読み出した前記画面サイズとに基づいて、前記映像データを前記表示サイズで表示するように、前記映像データを拡大または縮小するための拡大・縮小パラメータを算出するステップと、前記映像再生装置が、前記拡大・縮小パラメータに基づいて、前記映像データを拡大または縮小して前記表示部に表示するステップと、を有することを特徴とする映像再生方法である。
本発明によれば、映像データの表示サイズを取得し、取得した表示サイズで映像データを表示するように映像データを拡大または縮小して表示するため、表示する画面のサイズに関わらず、提供者の意図した一定のサイズで映像を表示することができる。
【発明の効果】
【００１０】
本発明によれば、映像データの表示サイズを取得し、取得した表示サイズで映像データを表示するように映像データを拡大または縮小して表示するため、表示する画面のサイズに関わらず、提供者の意図した一定のサイズで映像を表示することができる。
【図面の簡単な説明】
【００１１】
【図１】本発明の第１の実施形態による映像再生装置の構成を示すブロック図である。
【図２】第１の実施形態における動画映像取得部が取得する動画映像データの一例を示す概略図である。
【図３】第１の実施形態による映像再生装置が実行する映像再生処理の手順を示すフローチャートである。
【図４】第１の実施形態における映像再生装置による動画映像データの表示例を示すイメージ図である。
【図５】本発明の第２の実施形態による映像再生装置の構成を示すブロック図である。
【図６】第２の実施形態における動画映像取得部が取得する動画映像データの一例を示す概略図である。
【図７】第２の実施形態による映像再生装置が実行する映像再生処理の手順を示すフローチャートである。
【図８】第２の実施形態における映像再生装置による動画映像データの表示例を示すイメージ図である。
【発明を実施するための形態】
【００１２】
以下、本発明を実施するための形態について、図面を参照して詳細に説明する。
[第１の実施形態]
図１は、本発明の第１の実施形態による映像再生装置１の構成を示すブロック図である。
映像再生装置１は、テレビやパーソナルコンピュータ、携帯電話機、スマートフォン等、動画映像（画像）を再生して表示可能な装置である。本図に示すように、映像再生装置１は、動画映像取得部１０１と、機器情報記憶部１０２と、トランスポートストリーム解析処理部１０３と、拡大・縮小処理算出部１０４と、動画映像表示処理部１０５と、動画表示プレーン１０６とを含んで構成される。
【００１３】
動画映像取得部１０１（映像取得部）は、動画表示プレーン１０６に表示するための動画映像データ（映像データ）を取得し、取得した動画映像データをトランスポートストリーム解析処理部１０３に出力する。例えば、動画映像取得部１０１は、通信デバイスであり、インターネット等の通信網を介して動画映像データを取得する。或いは、動画映像取得部１０１は、ハードディスクやメモリカード等の記録媒体から動画映像データを取得してもよい。或いは、動画映像取得部１０１は、テレビチューナーとして、放送に関する動画映像データを取得してもよい。
機器情報記憶部１０２（記憶部）は、自装置に関するデータを記憶する。例えば、機器情報記憶部１０２は、動画表示プレーン１０６（表示部）の画面のサイズ（以下、画面サイズとする。）を記憶する。
【００１４】
トランスポートストリーム解析処理部１０３（サイズ取得部）は、動画映像取得部１０１が取得した動画映像データの表示サイズを取得し、取得した表示サイズと動画映像データとを拡大・縮小処理算出部１０４に出力する。例えば、トランスポートストリーム解析処理部１０３は、動画映像データから表示サイズを読み出す。当該表示サイズは、動画映像データを表示するサイズの絶対値であり、縦方向の大きさ（垂直サイズ）と横方向の大きさ（水平サイズ）とを示す。
拡大・縮小処理算出部１０４（算出部）は、トランスポートストリーム解析処理部１０３が取得した表示サイズと、機器情報記憶部１０２が記憶する画面サイズとに基づいて、動画映像データを表示サイズで表示するように、拡大・縮小パラメータを算出する。拡大・縮小パラメータは、動画映像取得部１０１が取得した動画映像データを拡大または縮小するためのパラメータである。具体的には、拡大・縮小処理算出部１０４は、表示サイズと画面サイズとの単位を一致させた後に、表示サイズを画面サイズにより除算して拡大・縮小パラメータ算出する。そして、拡大・縮小処理算出部１０４は、算出した拡大・縮小パラメータと動画映像データとを動画映像表示処理部１０５に出力する。
【００１５】
動画映像表示処理部１０５（表示処理部）は、拡大・縮小処理算出部１０４が算出した拡大・縮小パラメータに基づいて、動画映像取得部１０１が取得した動画映像データを拡大または縮小して動画表示プレーン１０６に表示する。
動画表示プレーン１０６は、液晶ディスプレイ、プラズマディスプレイ、有機エレクトロルミネッセンスディスプレイ、その他の表示デバイスである。
なお、動画表示プレーン１０６は、映像再生装置１に備えられるものであってもよいし、映像再生装置１とは別体の装置であってもよい。以下では、動画表示プレーン１０６が映像再生装置１に備えられるとして説明する。
【００１６】
図２は、本実施形態における動画映像取得部１０１が取得する動画映像データの一例を示す概略図である。
本実施形態における動画映像データは、ＭＰＥＧ（Ｍｏｖｉｎｇ  Ｐｉｃｔｕｒｅ  Ｅｘｐｅｒｔｓ  Ｇｒｏｕｐ）トランスポートストリームである。ＭＰＥＧトランスポートストリームは、シーケンス・ヘッダとＧＯＰ（Ｇｒｏｕｐ  ｏｆ  Ｐｉｃｔｕｒｅ）データとの組が連続するデータである。シーケンス・ヘッダには、直後のＧＯＰデータに関するデータが格納されている。本例では、シーケンス・ヘッダのＵＤ（Ｕｓｅｒ  Ｄａｔａ）に動画映像データの縦方向の大きさ（垂直サイズ）と横方向の大きさ（水平サイズ）とが格納されている。水平サイズおよび垂直サイズを格納するＵＤのサイズは１６ビットである。ＧＯＰデータには、表示する動画映像を示すデータが所定単位毎に圧縮されて格納されている。
なお、動画映像データの表示サイズは、複数あるシーケンス・ヘッダそれぞれに異なる値を設定することも可能である。これにより、ＧＯＰデータ毎に表示サイズを変更することができる。例えば、動画映像データの内容が動物図鑑である場合、各動物に関する動画映像をそれぞれ異なるＧＯＰデータに格納して、ねずみは小さく表示し、象は大きく表示する等、動物毎に異なる表示サイズを設定することができる。
【００１７】
次に、図３を参照して、本映像再生装置１による映像再生処理について説明する。図３は、本実施形態による映像再生装置１が実行する映像再生処理の手順を示すフローチャートである。
まず、動画映像取得部１０１が、動画映像データとしてＭＰＥＧトランスポートストリームを取得する（ステップＳ１０１）。次に、トランスポートストリーム解析処理部１０３が、ステップＳ１０１において取得されたＭＰＥＧトランスポートストリームのシーケンス・ヘッダのＵＤから動画映像データの表示サイズ（水平サイズと垂直サイズ）を取得する（ステップＳ１０２）。
【００１８】
続いて、拡大・縮小処理算出部１０４が、ステップＳ１０２において取得された表示サイズと、機器情報記憶部１０２が記憶する動画表示プレーン１０６の画面サイズとに基づいて、拡大・縮小パラメータを算出する（ステップＳ１０３）。例えば、拡大・縮小処理算出部１０４は、動画映像データの表示サイズが水平サイズ２００ｃｍ（センチメートル）×垂直サイズ１００ｃｍであって、動画表示プレーン１０６の画面サイズが４０インチで縦横比１６：９（横方向８８．４ｃｍ×縦方向４９．８ｃｍ）である場合、横方向２００÷８８．４＝２．２６倍、縦方向１００÷４９．８＝２．０１倍の拡大・縮小パラメータを算出する。
【００１９】
そして、動画映像表示処理部１０５が、ステップＳ１０３において算出された拡大・縮小パラメータに基づいて、ステップＳ１０１において取得したＭＰＥＧトランスポートストリームのＧＯＰデータに格納された動画映像を拡大または縮小して動画表示プレーン１０６に表示する（ステップＳ１０４）。例えば、動画映像表示処理部１０５は、拡大・縮小パラメータが横方向２．２６倍、縦方向２．０１倍である場合、動画映像データを横方向に２．２６倍拡大し、縦方向に２．０１倍拡大して動画表示プレーン１０６に表示する。その後、本映像再生処理を終了する。
なお、映像再生装置１は、ＭＰＥＧトランスポートストリームに複数のシーケンス・ヘッダとＧＯＰデータとの組が含まれる場合、上述したステップＳ１０２〜Ｓ１０４の処理を、複数あるシーケンス・ヘッダとＧＯＰデータとの組それぞれに対して実行する。
【００２０】
図４は、本実施形態における映像再生装置１による動画映像データの表示例を示すイメージ図である。図４には、異なる画面サイズの動画表示プレーン１０６に同一の動画映像データを表示した例を示している。図４（ａ）は、図４（ｂ）に示す動画表示プレーン１０６より画面サイズの大きい動画表示プレーン１０６における表示例である。また、図４（ｂ）は、図４（ａ）に示す動画表示プレーン１０６より画面サイズの小さい動画表示プレーン１０６における表示例である。本図に示すように、異なる画面サイズの動画表示プレーン１０６に表示した場合であっても、動画映像データは表示サイズで表示されるため、動画映像データを表示するサイズは一定である。
【００２１】
このように、本実施形態によれば、映像再生装置１は、動画映像データの表示サイズと動画表示プレーン１０６の画面サイズとに基づいて、動画映像データを表示サイズで表示するよう、動画映像データを拡大または縮小して表示する。これにより、動画表示プレーン１０６の画面サイズに関わらず、動画映像データの提供者の意図に従った一定の大きさで動画映像データを表示することができる。このことにより、大きなものは大きく、小さなものは小さく表示することができ、その大きさを直感的に提示することが可能となる。
また、本実施形態によれば、ＭＰＥＧトランスポートストリームのシーケンス・ヘッダごとに異なる表示サイズを設定することが可能なので、一連の動画映像データの途中で、例えば、シーンごとにその動画映像データの表示サイズを変更することが可能である。
【００２２】
[第２の実施形態]
次に、本発明の第２の実施形態について説明する。
図５は、本発明の第２の実施形態による映像再生装置２の構成を示すブロック図である。
本実施形態における映像再生装置２は、図１に示す第１の実施形態における映像再生装置１の構成に加えて外部データアクセス処理部２０７を備える。外部データアクセス処理部２０７は、インターネット等の通信網を介して、トランスポートストリーム解析処理部２０３により入力されたサーバアクセス情報が示すサーバ装置９にアクセスして、動画映像データの表示サイズを取得する。サーバアクセス情報には、動画映像データの表示サイズの格納場所を示すアドレス（例えば、ＵＲＬ（Ｕｎｉｆｏｒｍ  Ｒｅｓｏｕｒｃｅ  Ｌｏｃａｔｏｒ）等）が格納されている。そして、外部データアクセス処理部２０７は、取得した動画映像データの表示サイズと動画映像データとを拡大・縮小処理算出部２０４に出力する。トランスポートストリーム解析処理部２０３は、動画映像取得部２０１が取得した動画映像データからサーバアクセス情報を読み出し、読み出したサーバアクセス情報と動画映像データとを外部データアクセス処理部２０７に出力する。トランスポートストリーム解析処理部２０３および外部データアクセス処理部２０７が、動画映像データの表示サイズを取得するサイズ取得部を構成する。他の構成は、第１の実施形態における映像再生装置１の構成と同様であるため、説明を省略する。
【００２３】
図６は、本実施形態における動画映像取得部２０１が取得する動画映像データの一例を示す概略図である。
本実施形態における動画映像データは、ＭＰＥＧトランスポートストリームである。本例では、シーケンス・ヘッダのＵＤ（Ｕｓｅｒ  Ｄａｔａ）に、サーバアクセス情報が格納されている。
【００２４】
次に、図７を参照して、本映像再生装置２による映像再生処理について説明する。図７は、本実施形態による映像再生装置２が実行する映像再生処理の手順を示すフローチャートである。
まず、動画映像取得部２０１が、動画映像データとしてＭＰＥＧトランスポートストリームを取得する（ステップＳ２０１）。次に、トランスポートストリーム解析処理部２０３が、ステップＳ２０１において取得されたＭＰＥＧトランスポートストリームのシーケンス・ヘッダのＵＤからサーバアクセス情報を取得する（ステップＳ２０２）。続いて、外部データアクセス処理部２０７が、ステップＳ２０２において取得されたサーバアクセス情報に含まれるアドレスが示すサーバ装置９から、動画映像データの表示サイズを取得する（ステップＳ２０３）。
続くステップＳ２０４〜Ｓ２０５の処理は、上述したステップＳ１０３〜Ｓ１０４の処理と同様であるため、説明を省略する。ステップＳ２０５の後、本映像再生処理を終了する。
【００２５】
図８は、本実施形態における映像再生装置２による動画映像データの表示例を示すイメージ図である。図８には、同一の動画映像データを、同一の画面サイズの動画表示プレーン２０６に異なる表示サイズで表示した例を示している。図８（ａ）は、図８（ｂ）より表示サイズが大きく図８（ｃ）より表示サイズが小さい動画映像データの表示例である。また、図８（ｂ）は、図８（ａ）および図８（ｃ）より表示サイズが小さい動画映像データの表示例である。また、図８（ｃ）は、図８（ａ）および図８（ｂ）より表示サイズが大きい動画映像データの表示例である。本図に示すように、同一の画面サイズの動画表示プレーン２０６に同一の動画映像データを表示した場合であっても、その表示サイズがそれぞれ異なれば、各動画表示プレーン２０６には異なる大きさで表示される。
本実施形態によれば、動画映像データの表示サイズをサーバ装置９が保持しているため、動画映像データの提供者は動的にその表示サイズを変更することができる。そのため、例えば、第１の期間中は図８（ａ）に示すサイズ、第２の期間中は図８（ｂ）に示すサイズ、第３の期間中は図８（ｃ）に示すサイズとなるように、動画映像データの表示サイズを期間に応じて変更することができる。
なお、異なる画面サイズの動画表示プレーン２０６に同一の表示サイズの動画映像データを表示した場合、第１の実施形態と同様、動画映像データを表示するサイズは一定である。
【００２６】
このように、本実施形態によれば、映像再生装置２は、ＭＰＥＧトランスポートストリームのシーケンス・ヘッダからサーバアクセス情報を読み出し、読み出したサーバアクセス情報に基づいてサーバ装置９にアクセスして動画映像データの表示サイズを取得する。これにより、本実施形態によれば、第１の実施形態の効果に加えて、動画映像データの表示サイズを動画映像データの提供者が動的に変更することが可能になる。例えば、視聴する時刻により動画映像データの表示を変えて提示することができる。具体的には、同一の動画映像データであっても、初回放送時、レコーダーでの録画映像の視聴時や再放送時などで、それぞれ異なる大きさで動画映像データの提供が可能になる。
【００２７】
以上、この発明の実施形態について図面を参照して詳述してきたが、具体的な構成はこの実施形態に限られるものではなく、この発明の要旨を逸脱しない範囲の設計等も含まれる。
例えば、上述した実施形態では、動画映像データの表示サイズやサーバアクセス情報の格納先をＵＤとしたが、これに限られず、対応する動画映像を特定できる位置であれば他の位置に格納してもよい。
また、上述した実施形態では、動画映像データをＭＰＥＧトランスポートストリームとしたが、これに限らず、他の形式の動画映像データであってもよい。
また、上述した実施形態では、動画映像データを再生する場合を例に説明したが、映像再生装置１または２は、静止画を表示する場合にも同様に、画面サイズの大きさによらず、表示する静止画の大きさが提供者の意図した一定のサイズになるように表示してもよい。
【００２８】
また、図３または図７に示す各ステップを実現するためのプログラムをコンピュータ読み取り可能な記録媒体に記録して、この記録媒体に記録されたプログラムをコンピュータシステムに読み込ませ、実行することにより、処理の挿入／削除処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００２９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３０】
１，２…映像再生装置  １０１，２０１…動画映像取得部  １０２，２０２…機器情報記憶部  １０３，２０３…トランスポートストリーム解析処理部  １０４，２０４…拡大・縮小処理算出部  １０５，２０５…動画映像表示処理部  １０６，２０６…動画表示プレーン  ２０７…外部データアクセス処理部
【図１】
2014110611.tif 000003
【図２】
2014110611.tif 000004
【図３】
2014110611.tif 000005
【図４】
2014110611.tif 000006
【図５】
2014110611.tif 000007
【図６】
2014110611.tif 000008
【図７】
2014110611.tif 000009
【図８】
2014110611.tif 000010